(57)【要約】【課題】  法改正に応じた電子フォーム作成作業の軽減及び効率化を図ることを可能とする電子フォーム作成システム等を提供する。【解決手段】  サーバ１０１は、入力項目の特性に応じて項目群毎に分割した、インターフェース層２１の基本情報オブジェクト１１「Ａ１」「Ａ２」、固有情報オブジェクト１２「Ｂ１」、法改正情報オブジェクト１３「Ｃ１」「Ｃ２」、入力支援ロジック層２２の法改正情報オブジェクト１３「イ」…、計算ロジック層２３の法改正情報オブジェクト１３「α」、「β」…等を生成し保持する。法改正時、サーバ１０１は、電子フォーム３１１の法改正に関係する法改正情報オブジェクト１３を、新しく生成した改訂オブジェクト１４「Ｃ´１」と「イ´」と差し替え、改訂した電子フォーム３１１´を生成する。【選択図】  図５
2006221307.tif 000002
【特許請求の範囲】
【請求項１】
コンピュータからなる、法律に基づいて制作する電子フォームを作成する電子フォーム作成システムにおいて、
入力フォームを、項目の特性に応じて、項目群毎に、基本情報オブジェクト、固有情報オブジェクト、法改正に関係する法改正情報オブジェクトを有する複数のオブジェクトに分割する手段と、
分割した前記オブジェクトを組み合わせて構成される電子フォームを作成する手段と、
作成した電子フォームを保持するフォームデータベースと、
法改正時、前記フォームデータベースから該当する前記電子フォームを読み出し、法改正に関係する前記法改正情報オブジェクトを、新しく作成した法改正情報オブジェクトに差し替える差し替え手段と、
更新した電子フォームを前記フォームデータベースに保持する手段と、
を具備することを特徴とする電子フォーム作成システム。
【請求項２】
前記差し替え手段は、
電子フォーム改訂時、改訂に応じて、該当する基本情報オブジェクト及び／又は固有情報オブジェクトを、新しく作成した改訂オブジェクトに差し替えることを特徴とする請求項１に記載の電子フォーム作成システム。
【請求項３】
前記基本情報オブジェクトは、基本的に必要となる入力項目や機能に対するオブジェクトであることを特徴とする請求項１に記載の電子フォーム作成システム。
【請求項４】
前記固有情報オブジェクトは、当該電子フォームの固有な情報となる入力項目や機能に対するオブジェクトである特徴とする請求項１に記載の電子フォーム作成システム。
【請求項５】
ネットワークを介して接続された、法律に基づいて制作される電子フォームを利用してデータを入力する利用者の端末装置と、サーバと、を備える電子フォーム利用システムにおいて、
前記サーバは、
入力フォームを、項目の特性に応じて、項目群毎に、法改正に関係する法改正情報オブジェクトを有する複数のオブジェクトに分割する手段と、
分割した前記オブジェクトを組み合わせて構成される電子フォームを作成する手段と、
作成した電子フォームを保持するフォームデータベースと、
法改正時、前記電子フォームを読み出し、法改正に関係する前記法改正情報オブジェクトを、新しく作成した法改正情報オブジェクトに差し替える手段と、
更新した電子フォームを前記フォームデータベースに保持する手段と、
前記端末装置からの電子フォーム要求に対して、前記フォームデータベースから該当する電子フォームを読み出し、前記端末装置に送信する手段と、
を具備することを特徴とする電子フォーム利用システム。
【請求項６】
コンピュータを請求項１から請求項４いずれかに記載の電子フォーム作成システムとして機能させるプログラム。
【請求項７】
コンピュータを請求項１から請求項４いずれかに記載の電子フォーム作成システムとして機能させるプログラムを記録した記録媒体。
【発明の詳細な説明】
【技術分野】
【０００１】
本発明は、ネットワークを介した電子フォーム利用システムに係り、特に、法改正に応じた電子フォームの作成方法に関する。
【背景技術】
【０００２】
近年、多くの書類が電子データとして管理され、利用されている。省庁へ提出する申請書や金融機関に提出する届出書など、所定の形式及び記載事項を含む書類を電子データとして保管し、必要な時に必要な事項を入力して印刷することにより申請書、届出書などを作成することができる。
【０００３】
更に、インターネットなどのネットワークが発達した現在では、そのような書類を電子データの形態で電子書類として省庁、金融機関などへ提出できる。所定の申請などを行うユーザが、端末装置を用いて、その各種申請書の電子フォームをサーバ等より取得して電子書類を作成し、役所などに提出する際に利用する電子フォームシステム、電子帳票システム等が存在する（例えば、特許文献１）。
【０００４】
また、手続者の様々な利用形態に適合しつつ、インターネットを通じてオンラインで各種手続を効率的に実行する手続システム（例えば、特許文献２）や業務パターンを選択することで複数の電子フォームの申込業務を効率的に行うことができる電子フォーム利用システムが存在する（例えば、特許文献３）。
【０００５】
【特許文献１】特開２００２−３２７０５号公報
【特許文献２】特開２００２−２７９１３１号公報
【特許文献３】特開２００２−２８８５８３号公報
【発明の開示】
【発明が解決しようとする課題】
【０００６】
しかしながら、法関係の申請業務において、ユーザが端末装置を用いて、その各種申請書の電子フォームをサーバ等より取得して電子書類を作成する場合、法改正の度にフォーム提供者は１点ずつプログラムや書式の修正作業を行っており、改訂のための作業に労力と時間を要した。法改正に関わるフォーム改訂作業は、同じ作業の繰り返しとなるため、極力労力をかけずに変更する必要があるが、従来の電子フォームの作成方法では、フォーム作成者が法律を理解した上、修正する必要があり、電子フォーム作成、テスト作業等を行い、作業負担が大きく、効率的ではなかった。
【０００７】
また、特許文献２の手続システムでは、個人が行う手続きを正確に行うことが可能であるが、項目の特性ごとに入力フォームをオブジェクト群に分割するものではない。一方、特許文献３の業務パターンを選択することで複数の電子フォームの申込業務を行う電子フォーム利用システムは、法改正時の変更という観点はない。
【０００８】
本発明は、以上の点に鑑みてなされたものであり、法改正に応じた電子フォーム作成作業の軽減及び効率化を図ることを可能とする電子フォーム作成システム等を提供することを目的とする。
【課題を解決するための手段】
【０００９】
前述した目的を達成するために第１の発明は、コンピュータからなる、法律に基づいて制作する電子フォームを作成する電子フォーム作成システムにおいて、入力フォームを、項目の特性に応じて、項目群毎に、法改正に関係する法改正情報オブジェクトを有する複数のオブジェクトに分割する手段と、分割した前記オブジェクトを組み合わせて構成される電子フォームを作成する手段と、作成した電子フォームを保持するフォームデータベースと、法改正時、前記フォームデータベースから該当する前記電子フォームを読み出し、法改正に関係する前記法改正情報オブジェクトを、新しく作成した法改正情報オブジェクトに差し替える手段と、更新した電子フォームを前記フォームデータベースに保持する手段と、を具備することを特徴とする電子フォーム作成システムである。
【００１０】
第１の発明による電子フォーム作成システムでは、サーバコンピュータは、入力フォームを、項目の特性に応じて、項目群毎に、法改正に関係する法改正情報オブジェクトを有する複数のオブジェクトに分割し、分割したオブジェクトを組み合わせて構成される電子フォームを作成し、作成した電子フォームをフォームデータベースに保持する。法改正時、サーバコンピュータは、フォームデータベースから該当する電子フォームを読み出し、法改正に関係する法改正情報オブジェクトを、新しく作成した法改正情報オブジェクトに差し替え、更新した電子フォームをフォームデータベースに保持する。
【００１１】
「電子フォーム」は、通常の申請書等の書類の枠などの部分（未記入の書類）に対応するデータ、及び文字入力枠のデータ入力制御機能等を有するフォームであり、プログラム機能を有する
「入力データ」は、電子フォームに対して、ユーザが入力した必要事項などのデータである。
「オブジェクト」は、電子フォームを構成するフィールドデータ、枠データ、プログラム機能等を有するデータであり、本発明では、オブジェクトは、基本情報オブジェクト、固有情報オブジェクト、法改正情報オブジェクト等からなる。
「基本情報オブジェクト」は、電子フォームを構成する上で基本的に必要となる入力項目や機能に対するオブジェクトである。
「固有情報オブジェクト」は、前記固有情報オブジェクトは、電子フォームを構成する上で固有な情報となる入力項目や機能に対するオブジェクトである。
「法改正情報オブジェクト」は、法改正に関係するオブジェクトである。
【００１２】
また、第２の発明は、ネットワークを介して接続された、法律に基づいて制作される電子フォームを利用してデータを入力する利用者の端末装置と、サーバと、を備える電子フォーム利用システムにおいて、前記サーバは、入力フォームを、項目の特性に応じて、項目群毎に、法改正に関係する法改正情報オブジェクトを有する複数のオブジェクトに分割する手段と、分割した前記オブジェクトを組み合わせて構成される電子フォームを作成する手段と、作成した電子フォームを保持するフォームデータベースと、法改正時、前記電子フォームを読み出し、法改正に関係する前記法改正情報オブジェクトを、新しく作成した法改正情報オブジェクトに差し替える手段と、更新した電子フォームを前記フォームデータベースに保持する手段と、前記端末装置からの電子フォーム要求に対して、前記フォームデータベースから該当する電子フォームを読み出し、前記端末装置に送信する手段と、を具備することを特徴とする電子フォーム利用システムである。
第２の発明での電子フォーム利用システムでは、サーバは、入力フォームを、項目の特性に応じて、項目群毎に、法改正に関係する法改正情報オブジェクトを有する複数のオブジェクトに分割し、分割したオブジェクトを組み合わせて構成される電子フォームを作成し、作成した電子フォームを保持するフォームデータベースを有し、法改正時、電子フォームを読み出し、法改正に関係する法改正情報オブジェクトを、新しく作成した法改正情報オブジェクトに差し替え、更新した電子フォームをフォームデータベースに保持し、端末装置からの電子フォーム要求に対して、フォームデータベースから該当する電子フォームを読み出し、端末装置に送信するである。
【００１３】
第３の発明は、コンピュータを第１の発明の電子フォーム作成システムとして機能させるプログラムである。
第４の発明は、コンピュータを第１の発明の電子フォーム作成システムとして機能させるプログラムを記録した記録媒体である。
【００１４】
上述のプログラムをＣＤ−ＲＯＭ等の記録媒体に保持させて流通させてもよいし、このプログラムを通信回線を介して送受することもできる。
【発明の効果】
【００１５】
本発明は、以上の点に鑑みてなされたものであり、法改正に応じた電子フォーム作成作業の軽減及び効率化を図ることを可能とする電子フォーム作成システム等を提供することができる。
【発明を実施するための最良の形態】
【００１６】
以下に、添付図面を参照しながら、本発明に係る電子フォーム作成システム、電子フォーム利用システム等の好適な実施形態について詳細に説明する。尚、以下の説明および添付図面において、略同一の機能構成を有する構成要素については、同一の符号を付することにより重複説明を省略することにする。
【００１７】
図１は、本実施の形態に係る電子フォーム利用システム１００の概略構成を示す図である。図１は、電子フォーム利用システム１００の１例であり、図１に示すように、電子フォーム利用システム１００は、サーバ１０１、ユーザ１０２が有する端末装置１０３、ネットワーク１０９等からなる。電子フォーム利用システム１００は、例えばインターネットなどのネットワーク１０９を介して、サーバ１０１と、端末装置１０３とが接続されて構成される。
【００１８】
サーバ１０１は、サーバとしてのサーバコンピュータ等であり、Ｗｅｂ（Ｗｏｒｌｄ Ｗｉｄｅ
Ｗｅｂ）サーバ１１０、電子書類作成手段１１１、電子フォーム作成手段１１２、電子フォームデータベース３０１、ユーザデータベース３０２等を有する。
【００１９】
電子書類作成手段１１１は、ユーザ１０２の要求に応じて、Ｗｅｂサーバ１１０を介して、電子フォームデータベース３０１の申請書等の書類に対応する電子フォームを端末装置１０３へ送信し、電子書類を作成する端末装置１０３から電子フォームに対する必要事項の入力データを受け取り、ユーザデータベース３０２に保持する
【００２０】
電子フォーム作成手段１１２は、電子フォーム作成システムに相当し、法改正に応じた複数のオブジェクト（基本情報オブジェクト１１、固有情報オブジェクト１２、法改正情報オブジェクト１３）から構成する電子フォーム３１１を作成し、法改正時には、法改正に関係するオブジェクトのみを差し替え、電子フォーム３１１を改訂する。
【００２１】
電子フォームデータベース３０１には、法関係に基づいて制作され種々の書類の電子フォーム３１１が保存されている。ユーザデータベース３０２には、作成されて電子書類の入力データが保存されている。
【００２２】
ユーザ１０２は、Ｗｅｂアプリケーションシステムを利用する利用者であり、端末装置１０３は、Ｗｅｂ（Ｗｏｒｌｄ  Ｗｉｄｅ  Ｗｅｂ）ブラウザ１２０、ローカルデータベース３０３等を有する。Ｗｅｂブラウザ１２０上に、電子帳票を作成する電子フォーム３１１を有する。ローカルデータベース３０３には、ユーザ１０２が作成した電子書類の入力データを記憶する。尚、端末装置１０３は、通常はユーザ１０２の家庭に設置されたパーソナルコンピュータ、携帯型端末機等などである。
【００２３】
次に、サーバ１０１のハードウェア構成を説明する。図２は、サーバ１０１のハードウェア構成図である。
【００２４】
図２に示すように、サーバ１０１は、制御部２０１、記憶装置２０２（ハードディスク）、メディア入出力部２０３（ＣＤ−ＲＯＭ）、通信制御部２０４（通信制御装置、通信ポート等）、入力部２０５（キーボード、マウス等）、印刷部２０６（プリンタ）、表示部２０７（ディスプレイ）等が、バス２０９を介して接続される。
【００２５】
制御部２０１は、ＣＰＵ、ＲＯＭ、ＲＡＭ等で構成され、大容量記憶媒体としての記憶装置２０２に格納されたプログラムに従って、バス２０９を介して接続された各装置を駆動制御する。
【００２６】
記憶装置２０２には、各構成部分を駆動制御する制御プログラム３２１、アプリケーションプログラム３２２等が格納されている。
【００２７】
これらの各プログラムコードは、制御部２０１により必要に応じて読み出されてＲＡＭに移され、ＣＰＵに読み出されて各種の手段として実行される。
【００２８】
メディア入出力部２０３（ＣＤ−ＲＯＭドライブ装置）は、制御部２０１のＲＯＭや記憶装置２０２に記憶されているプログラムや情報をバージョンアップ、機器設定等の設定を行う際に用いられる。
【００２９】
通信制御部２０４は、通信制御装置、通信ポート等であり、ネットワーク１０９を介して、サーバ１０１と、端末装置１０３間の通信制御を行う。
【００３０】
入力部２０５は、キーボード、マウス等であり、表示部２０７（ディスプレイ）に表示された操作案内、各種処理、操作を行う。
印刷部２０６は、プリンタであり、印刷出力処理を行う。
【００３１】
次に、サーバ１０１の記憶部２０２が保持する情報について説明する。説明する。図３は、サーバ１０１の記憶部２０２が保持する情報を示す。
【００３２】
図３に示すように、記憶装置２０２内には、電子フォームデータベース３０１、ユーザデータベース３０２、及び制御プログラム３２１、アプリケーションプログラム３２２等が格納されている。
【００３３】
電子フォームデータベース３０１は、複数の電子フォーム３１１からなる。電子フォーム３１１は、法関係に基づいて制作され種々の書類の電子フォームであり、電子フォームが項目毎に保存されている。ユーザデータベース３０２には、複数の記入データ３１２からなる。記入データ３１２は、電子フォーム３１１に基づいて作成された電子書類の入力データである。
【００３４】
制御プログラム３２１は、サーバ１０１であるコンピュータの各構成部分を駆動制御するプログラムである。
アプリケーションプログラム３２２は、電子書類作成プログラム、電子フォーム作成プログラム、Ｗｅｂサーバ等の実行可能プログラムであり、電子書類作成手段１１１、電子フォーム作成手段１１２、Ｗｅｂサーバ１１０の処理に該当するプログラムである。
【００３５】
次に、図４を参照しながら、電子フォーム３１１のデータ構成を説明する。図４は、電子フォーム３１１のデータ構成を示す。
【００３６】
電子フォーム３１１は、ＸＭＬ形式で記述したものであり、枠データ、フィールドデータ、プログラム機能、管理情報等のデータからなる。電子フォーム３１１は、入力フォームを、項目の特性に応じて、項目群毎に、分割した複数の基本情報オブジェクト１１−１、１１−２、…、固有情報オブジェクト１２−１、１２−２、…、法改正情報オブジェクト１３−１、１３−２、…等からなる複数のオブジェクトから構成される。
【００３７】
基本情報オブジェクト１１は、電子フォーム３１１を構成する上で基本的に必要となる入力フィールドや機能に対するオブジェクトである。例えば、「給与所得者の扶養控除等（異動）申告書」における、「本人の氏名」、「本人の住所」、「本人の生年月日」等の入力項目に対応する。
固有情報オブジェクトは、電子フォームを構成する上で本電子フォーム固有な情報となる入力フィールドや機能に対するオブジェクトである。例えば、「配偶者の氏名」、「配偶者の住所」、「配偶者の生年月日」、「配偶者の所得」等の配偶者の情報の入力項目に対応する。
法改正情報オブジェクトは、法改正に関係する入力フィールドや機能に対するオブジェクトである。例えば、「生命保険料控除額」、「配偶者控除額」等の項目に対応する。
【００３８】
また、電子フォーム３１１は、インターフェース層２１、入力支援ロジック層２２、計算ロジック層２３等の層構造を有する。
インターフェース層２１は、静的項目データやフィールドデータであり、電子フォームにおける各入力フィールド（入力項目）毎のタグ名からなり、入力欄（入力位置）とが対応付けられて構成される。
入力支援ロジック層２２は、レイアウト、文字入力枠等に備える枠データ、文字種の限定、データチェック、文字の結合や分割などの入力支援処理を記述したデータである。
計算ロジック層２３は、入力データに対する所定の処理（演算）を記述したデータである。
【００３９】
電子フォーム３１１は、静的項目や入力フィールド等画面上で見えるインターフェースを示すインターフェース層２２で有する項目に応じて基本情報オブジェクト１１、固有情報オブジェクト１２、法改正情報オブジェクト１３等の各オブジェクトに分割する。
【００４０】
次に、図５、図６を参照しながら、電子フォーム作成手段１１２における電子フォーム作成処理の処理手順について説明する。図５は、法改正に応じた電子フォーム作成・改訂の１例を示す。図６は、電子フォーム作成手段１１２の電子フォーム作成処理の処理手順を示すフローチャートである。
【００４１】
まず、法律に基づいた電子フォーム３１１を作成する処理を説明する。サーバ１０１の制御部２０１は、入力フォーム（入力項目群）を項目の特性に応じて、基本的に必要となる入力項目群である基本情報部分３１、固有な情報となる入力項目群である固有情報部分３２、法改正に応じて改訂する入力項目群である法改正に応じて改訂する部分３３（法改正情報部分）に分割する（ステップ６０１）。
図５に示すように、例えば、「○○○申請書」の電子フォーム構成イメージ５０１の入力項目群を、項目の特性に応じて、基本情報部分３１「Ａ１」「Ａ２」、固有情報部分３２「Ｂ１」、法改正に応じて改訂する部分３３「Ｃ１」、「Ｃ２」に分割する。
【００４２】
制御部２０１は、分割した項目群毎の複数のオブジェクト（基本情報オブジェクト１１、固有情報オブジェクト１２、法改正情報オブジェクト１３）を生成する（ステップ６０２）。
例えば、図５では、電子フォーム３１１のインターフェース層２１の基本情報オブジェクト１１「Ａ１」「Ａ２」、固有情報オブジェクト１２「Ｂ１」、法改正情報オブジェクト１３「Ｃ１」「Ｃ２」等、入力支援ロジック層２２の法改正情報オブジェクト１３「イ」、…、計算ロジック層２３の法改正情報オブジェクト１３「α」、「β」、…等が生成される。
【００４３】
制御部２０１は、複数のオブジェクトを組み合わせた構成である電子フォーム３１１を電子フォームデータベース３０１に保持する（ステップ６０３）。
【００４４】
次に、図７を参照しながら、法改正時の電子フォーム３１１の改訂処理を説明する。図７は、電子フォーム作成手段１１２の法改正時の電子フォーム改訂の処理手順を示すフローチャートである。
サーバ１０１の制御部２０１は、該当する電子フォーム３１１を、電子フォームデータベース３０１から読み出す（ステップ７０１）。
【００４５】
制御部２０１は、法改正に関係する法改正情報オブジェクト１３である改訂オブジェクト１４を新しく作成する（ステップ７０２）。
例えば、図５の電子フォーム３１１内の法改正に関係する法改正情報オブジェクト１３は、インターフェース層の法改正情報オブジェクト１３「Ｃ１」と入力支援ロジック層２２の法改正情報オブジェクト１３「イ」であり、インターフェース層２１の法改正情報オブジェクト１３である改訂オブジェクト１４「Ｃ´１」と入力支援ロジック層２２の法改正情報オブジェクト１３である改訂オブジェクト１４「イ´」が新しく生成される。
【００４６】
制御部２０１は、法改正に関係する元の法改正情報オブジェクト１３を新しく作成した改訂オブジェクト１４に差し替える（ステップ７０３）。
例えば、図５の法改正に関係する元の法改正情報オブジェクト１３「Ｃ１」、「イ」を新しく作成した改訂オブジェクト１４「Ｃ´」、「イ´」に、夫々差し替え、改訂した電子フォーム３１１´を生成する。
【００４７】
制御部２０１は、改訂した電子フォーム３１１´を電子フォームデータベース３０１に保存する（ステップ７０４）。
【００４８】
次に、図８を参照しながら、電子フォーム３１１を用いて、法関係の申請書等の電子書類を作成する電子書類作成手段１１１について説明する。図８は、電子書類作成手段１１１の処理手順を示すフローチャートである。
【００４９】
端末装置１０３の制御部は、Ｗｅｂブラウザ１２０を介して、サーバ１０１の所定のサイトにアクセスし、申請書等の電子フォーム３１１を呼び出す（ステップ８０１）。
【００５０】
サーバ１０１の制御部２０１は、Ｗｅｂサーバ１１０を介して、呼び出し要求に対して、電子フォームデータベース３０１から該当する電子フォーム３１１を読み出し（ステップ８０２）、端末装置１０３に送信する（ステップ８０３）。
【００５１】
端末装置１０３の制御部は、受信した電子フォーム３１１からなる電子フォーム画面（図示せず）を表示し、ユーザ１０２は、電子フォーム３１１に従って、必要項目を入力し申請書等の書類を作成する（ステップ８０４）。
端末装置１０３の制御部は、入力された入力データをサーバ１０１に送信する（ステップ８０５）。
【００５２】
サーバ１０１の制御部２０１は、受信した入力データを記入データ３１２としてユーザデータベース３０２に保持する（ステップ８０６）。
また、法改正後、端末装置１０３は、同様の手順で、電子フォームをアクセスし、改訂した電子フォームに従って、データを入力し、改訂した申請書等の電子書類を作成する。
【００５３】
以上説明したように、本発明の実施の形態によれば、サーバ１０１は、法律に基づいて制作する電子フォームを、項目の特性に応じて、項目群毎に、項目群毎の基本情報オブジェクト１１、固有情報オブジェクト１２、法改正情報オブジェクト１３等の複数のオブジェクトに分割し、分割したオブジェクトを組み合わせて構成される電子フォーム３１１を作成し、作成した電子フォーム３１１を電子フォームデータベース３０１に保持する。法改正時、サーバ１０１は、電子フォームデータベース３０１から該当する電子フォーム３１１を読み出し、法改正に関係する法改正情報オブジェクト１３を、新しく作成した改訂オブジェクト１４に差し替え、改訂した電子フォーム３１１´を電子フォームデータベース３０１に保持する。
【００５４】
これにより、手間のかかっていた、法改正時の電子フォーム作成をオブジェクトの差し替えのみでできるため、制作やテストに時間と労力を最小限にとどめることができ、制作担当者の負担を軽減し、電子フォーム作成・改訂作業の効率化を図ることができる。
【００５５】
尚、本実施の形態では、法改正にあたって、サーバ１０１が法改正に関係する新しい法改正情報オブジェクトを作成し、元の法改正情報オブジェクトと差し替えたが、電子フォーム設計者の端末装置より作成した法改正オブジェクトをサーバ１０１にダウンロードしてもよい。
また、本実施の形態では、法改正に関係する法改正情報オブジェクトの差し替えについて説明したが、電子フォーム改訂時、改訂に応じて、該当する基本情報オブジェクト、固有情報オブジェクト等を、新しく作成した改訂オブジェクトに差し替えてもよい。
【００５６】
尚、図６、図７、図８等に示す処理を行うプログラムはＣＤ−ＲＯＭ等の記録媒体に保持させて流通させてもよいし、このプログラムを通信回線を介して送受することもできる。
【００５７】
以上、添付図面を参照しながら、本発明に係る電子フォーム作成システム、電子フォーム利用システム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００５８】
【図１】本発明の本実施の形態に係る電子フォーム利用システム１００の概略構成を示す図
【図２】サーバ１０１のハードウェア構成図
【図３】サーバ１０１の記憶部２０２が保持する情報を示す図
【図４】電子フォーム３１１のデータ構成を示す図
【図５】法改正に応じた電子フォーム作成・改訂の１例を示す図
【図６】電子フォーム作成手段１１２の電子フォーム作成処理の処理手順を示すフローチャート
【図７】電子フォーム作成手段１１２の法改正時の電子フォーム改訂の処理手順を示すフローチャート
【図８】電子書類作成手段１１１の処理手順を示すフローチャート
【符号の説明】
【００５９】
１００………電子フォーム利用システム
１０１………サーバ
１０２………ユーザ
１０３………端末装置
１０９………ネットワーク
１１０………Ｗｅｂサーバ
１１１………電子書類作成手段
１１２………電子フォーム作成手段
１２０………Ｗｅｂブラウザ
２０１………制御部
２０２………記憶装置
３０１………電子フォームデータベース
３０２………ユーザデータベース
３０３………ローカルデータベース
３１１………電子フォーム
３１２………記入データ
１１………基本情報オブジェクト
１２………固有情報オブジェクト
１３………法改正情報オブジェクト
１４………改訂オブジェクト
２１………インターフェース層
２２………入力支援ロジック層
２３………計算ロジック層
【図１】
2006221307.tif 000003
【図２】
2006221307.tif 000004
【図３】
2006221307.tif 000005
【図４】
2006221307.tif 000006
【図５】
2006221307.tif 000007
【図６】
2006221307.tif 000008
【図７】
2006221307.tif 000009
【図８】
2006221307.tif 000010